(57)【特許請求の範囲】
【請求項１】
第１ハウジング部（Ｉ）および第２ハウジング部（ＩＩ)を有するハウジング（１０８）と、
前記第１ハウジング部（Ｉ）内に配置されたオルタネータ（１１０）と、
前記第２ハウジング部（ＩＩ）内に配置されたガスタービン（１２０）と、
を有する発電システム（１００）であって、
前記オルタネータ（１１０）は、前記ガスタービン（１２０）によって駆動可能であり、
前記第１ハウジング部（Ｉ）は、空気流（１０２）を前記第１ハウジング部（Ｉ）に噴射できる給気口（１０１）を有しており、これにより、前記空気流（１０２）は、前記オルタネータ（１１０）を通過して、前記オルタネータ（１１０）を冷却し、
前記第１ハウジング部（Ｉ）は、前記空気流（１０２）が前記オルタネータ（１１０）を通過した後、前記空気流（１０２）を前記第２ハウジング部（ＩＩ）に供給できるように前記第２ハウジング部（ＩＩ）に接続されており、
前記第２ハウジング部（ＩＩ）は、排気口（１０３）を有しており、前記空気流（１０２）は、前記ガスタービン（１２０）を通過した後、前記排気口（１０３）を通して排気可能であり、
前記第２ハウジング部（ＩＩ）は、別の給気口（１０５）を有しており、前記別の給気口（１０５）は、別の空気流（１０６）が前記ガスタービン（１２０）に供給できるように前記ガスタービン（１２０）に接続されており、
前記発電システム（１００）は、
前記給気口（１０１）または前記排気口（１０３）に設けられたフラップと、
前記第１ハウジング部（Ｉ）および前記第２ハウジング部（ＩＩ）の内部の圧力を制御する圧力制御ユニットと、
を有し、
前記圧力制御ユニットは、前記フラップを制御する、
発電システム（１００）。
【請求項２】
さらに、前記オルタネータ（１１０）と前記ガスタービン（１２０）とを接続する駆動シャフト装置（１０４）を有する、
請求項１に記載の発電システム（１００）。
【請求項３】
前記ハウジング（１０８）は、前記第１ハウジング部（Ｉ）と前記第２ハウジング部（ＩＩ）との間に配置された中間ハウジング部（ＩＩＩ）を有しており、
前記空気流（１０２）は、前記空気流（１０２）が前記オルタネータ（１１０）を通過した後、前記中間ハウジング部（ＩＩＩ）に供給可能であり、さらに前記中間ハウジング部（ＩＩＩ）から前記第２ハウジング部（ＩＩ）に供給可能であり、
前記駆動シャフト装置（１０４）は、前記オルタネータ（１１０）から前記中間ハウジング部（ＩＩＩ）を貫通して前記ガスタービン（１２０）にまで延在する、
請求項２に記載の発電システム（１００）。
【請求項４】
前記第２ハウジング部（ＩＩ）は、別の排気口（１０７）を有しており、
前記別の排気口（１０７）は、排気流が前記別の排気口（１０７）を通して前記ハウジング（１０８）から排出可能となるように、前記ガスタービン（１２０）に接続されている、
請求項１から３までのいずれか１項に記載の発電システム（１００）。
【請求項５】
前記オルタネータ（１１０）は、冷却給気口（１１１）および冷却排気口（１１２）を有しており、
前記第１ハウジング部（Ｉ）における前記空気流（１０２）の一部（１１３）は、前記冷却給気口（１１１）を通して、前記オルタネータ（１１０）の内部コンポーネント（１１４）に案内可能であり、
前記空気流（１０２）の前記一部（１１３）は、前記オルタネータ（１１０）の前記内部コンポーネント（１１４）を通過した後、前記冷却排気口（１１２）を通して前記第１ハウジング部（Ｉ）に案内可能である、
請求項１から４までのいずれか１項に記載の発電システム（１００）。
【請求項６】
前記空気流（１０２）を濾過するためのフィルタ装置（１３０）をさらに有しており、
前記フィルタ装置（１３０）は、前記空気流（１０２）が、前記給気口（１０１）を通して前記第１ハウジング部（Ｉ）に噴射される前、前記フィルタ装置（１３０）を通して案内され得るように、前記ハウジング（１０８）に配置されている、
請求項１から５までのいずれか１項に記載の発電システム（１００）。
【請求項７】
さらに、前記排気口（１０３）を通して排気される場合の前記空気流（１０２）の騒音を低減するための消音器（１４０）を有しており、
前記消音器（１４０）は、前記空気流（１０２）が、前記排気口（１０３）を通して前記第２ハウジング部（ＩＩ）から排気された後、前記消音器（１４０）を通して案内され得るように、前記ハウジング（１０８）に配置されている、
請求項１から６までのいずれか１項に記載の発電システム（１００）。
【請求項８】
第１ハウジング部（Ｉ）および第２ハウジング部（ＩＩ）を備えたハウジング（１０８）と、前記第１ハウジング部（Ｉ）内に配置されたオルタネータ（１１０）と、前記第２ハウジング部（ＩＩ）内に配置されたガスタービン（１２０）と、を有する発電システム（１００）を作動させる方法であって、
前記方法は、
前記ガスタービン（１２０）によって前記オルタネータ（１１０）を駆動するステップと、
給気口（１０１）を通して空気流（１０２）を前記第１ハウジング部（Ｉ）に噴射して、これにより、前記空気流（１０２）が前記オルタネータ（１１０）を通過して、前記オルタネータ（１１０）を冷却するステップと、
を有しており、
前記第１ハウジング部（Ｉ）は、前記空気流（１０２）が前記オルタネータ（１１０）を通過した後、前記空気流（１０２）を前記第２ハウジング部（ＩＩ）に供給できるように前記第２ハウジング部（ＩＩ）に接続されており、
前記方法はさらに、
前記空気流（１０２）が前記ガスタービン（１２０）を通過した後、前記第２ハウジング部（ＩＩ）の排気口（１０３）を通して前記空気流（１０２）を排気するステップと、
前記第１ハウジング部（Ｉ）および前記第２ハウジング部（ＩＩ）の内部の圧力を、圧力制御ユニットによって制御するステップと、
を有し、
前記圧力制御ユニットは、前記給気口（１０１）または前記排気口（１０３）に設けられたフラップを制御する、
発電システム（１００）を作動させる方法。
【請求項９】
前記方法は、別の給気口（１０５）を介して前記ガスタービン（１２０）に別の空気流（１０６）を供給するステップを有しており、
前記別の給気口（１０５）は、前記ガスタービン（１２０）に接続されている、
請求項８に記載の発電システム（１００）を作動させる方法。
【発明の詳細な説明】
【技術分野】
【０００１】
発明の分野
本発明は、換気システムを有する発電システムに関し、また換気システムを有する発電システムを作動させる方法に関する。
【０００２】
発明の背景
発電システムは、動力を形成するガスタービンから構成されており、この形成される動力により、交流発電機のようなオルタネータが駆動される。この交流発電機により、最終消費者によって使用される電力が形成される。
【０００３】
上記のガスタービンおよびオルタネータは一般的には、発電ハウジングまたはエンクロージャ内に収容されている。ガスタービンおよびオルタネータを冷却するため、別々の冷却システムが設けられている。特に、１つの独立した換気システムが、冷却を目的としてオルタネータに接続されており、これによってオルタネータが冷却され、また別の独立した換気システムが、冷却を目的としてガスタービンエンクロージャに接続されている。オルタネータをパージする換気および冷却流と、ガスタービンセルをパージする換気流とは別々になっている。
【０００４】
米国特許公報第３７９１６８２号明細書には、最小限度の利用可能床面積しかない箇所に電源を設けるために発電機の上に１つまたは複数のタービンを配置したタービン駆動発電機セットが開示されている。ここではこの発電機セットは、タービンおよび発電機を取り囲む遮音囲いを有しており、発電機冷却用空気およびタービンにいたる吸気を濾過するための空気フィルタを有する。この発電機セットは、空気／オイル熱交換器を介して発電機およびタービンと発電機との間の減速歯車装置におけるオイルを冷却するために発電機によって駆動される送風機を有する。この送風機は、遮断の後、タービンを冷却する。
【０００５】
発明の要約
本発明の１つの目的は、単純かつ効率的な換気装置を有する発電システムを提供することである。
【０００６】
本発明の別の１つの目的は、一層効率的でありかつより安価な冷却システムを備えた発電システムの作動方法を提供することである。
【０００７】
この課題は、請求項１に記載した発電システムおよび請求項８に記載した発電システムを作動させる方法によって解決される。
【０００８】
本発明の第１様相によれば、発電システムが提供される。この発電システムは、第１ハウジング部および第２ハウジング部を備えたハウジングを有する。さらにこの発電システムは、第１ハウジング部内に配置されたオルタネータと、第２ハウジング部内に配置されたガスタービンとを有する。オルタネータは、ガスタービンによって駆動可能である。第１ハウジング部は、空気流を第１ハウジング部に噴射可能な給気口を有しており、これにより、この空気流は、オルタネータを通過してこのオルタネータを冷却する。第１ハウジング部は、空気流がオルタネータを通過した後、この空気流を第２ハウジング部に供給できるように第２ハウジング部に接続されている。第２ハウジング部は、排気口を有しており、空気流は、ガスタービンを通過した後、この排気口を通して排気可能である。
【０００９】
本発明の別の様相によれば、第１ハウジング部および第２ハウジング部を備えたハウジングと、第１ハウジング部内に配置されたオルタネータと、第２ハウジング部内に配置されたガスタービンとを有する発電システム作動させる方法が提供される。この方法によれば、オルタネータは、ガスタービンによって駆動される。ここでは給気口を通して空気流を第１ハウジング部に噴射して、この空気流がオルタネータを通過して、このオルタネータが冷却されるようにする。第１ハウジング部は、空気流がオルタネータを通過した後、この空気流が第２ハウジング部に供給できるように第２ハウジング部に接続されている。上記の空気流は、ガスタービンを通過した後、第２ハウジング部の排気口を通して排気される。
【００１０】
上記の発電システムを作動させる方法は有利には、別の給気口を介してガスタービンに別の空気流を供給するステップを有することができ、ここでこの別の給気口は、ガスタービンに接続されている。
【００１１】
上記のハウジングには、対応するハウジング部を構成するフレーム枠が含まれている。このハウジングはさらに発電システムの複数のコンポーネント用のエンクロージャを構成し、これによってこのハウジングは周囲環境に対し、閉じられたケーシングを構成する。ハウジングおよび対応するハウジング部は、周囲環境から隔離された対応する内容積を形成することできる。これらの対応する内容積は、対応する給気口または排気口を介して周期環境に接続されている。
【００１２】
上記のハウジング部は、対応する分離壁によって分離することができる。これらの分離壁には対応する開口部を形成することができ、これらの開口部を通して空気流を案内可能である。
【００１３】
第１ハウジング部には第１給気口が形成される。この給気口を通して空気流を噴射可能である。この空気流は、例えば、換気システムによって形成することができる。この換気システムは、ハウジングの外部に取り付け可能であるかまたはハウジングの内部に配置可能である。この換気システムは、空気流を形成するためのファンを有し得る。清浄な空気流を供給するため、給気口に対応するフィルタ装置を付加的に接続することができる。
【００１４】
第１ハウジング部の内容積内には、（特に交流の）電力を形成するための交流発電機のようなオルタネータが取り付けられている。このオルタネータの動作中、熱が発生する。上記の空気流は、オルタネータに沿って流れ、これによってこのオルタネータを通過して、このオルタネータが冷却される。
【００１５】
第１ハウジング部と第２ハウジング部とは離れている。第２ハウジング部は、空気流の流れの方向に対して第１ハウジング部の下流に配置されている。第２ハウジング部の内容積内にはガスタービンが配置されている。空気流は、対応する開口部を通して、例えば第１ハウジング部と第２ハウジング部との間の分離壁内を通して、第２ハウジング部の内容積に案内される。つぎにこの空気流は、ガスタービンを通過し、これによってこのガスタービンを冷却する。
【００１６】
対応する排気口が第２ハウジング部に配置されており、空気流は、ガスタービンを通過した後、この排気口を通して排気することができる。
【００１７】
したがって、本発明により、冷却のためにはハウジング内に噴射されるただ１つの空気流だけしか必要でない。冷却のためにハウジング内に噴射される別の独立した複数の空気流を供給するための別の設備は不要である。このため、上記のように発電を設計することにより、全体的なシステムが単純化される。なぜならば、オルタネータおよびガスタービンの両方を冷却するためにただ１つの空気流しか使用されないからである。これにより、複数の別の空気流を供給するためのコストのかかる別の設備はもはや必要ないのである。したがって全体的なシステムのこの単純化により、コストが低減され、設備のための材料および労力が低減されるのである。
【００１８】
別の実施例によれば、第１ハウジング部および／または第２ハウジング部の内部の圧力は、圧力制御ユニットによって制御可能である。この圧力制御ユニットは、空気流の流速、および／または、給気口または排気口における対応するフラップを制御することができる。さらに対応する給気口または排気口に圧力および／または真空発生器を接続して、ハウジング内に正圧または負圧を形成することが可能である。圧力制御ユニットは、圧力および／または真空発生器を制御することができる。
【００１９】
例えば、ガス燃料を使用する場合、漏れ燃料は循環空気において希釈され得る。ガス燃料がハウジング内に収容されていなければならない場合、このハウジング内の圧力をハウジング外部の圧力よりも低くして、換気流路だけを介して任意の燃料を逃がし得るようにする必要がある。その一方、ハウジングの内部を清浄に保つのが重要である場合、例えば、ガスタービンが粉塵の多い周囲環境の箇所に設置される場合、ハウジング内の圧力をハウジングの外部よりも高くして、漏れ経路を介して粉塵が侵入するのを阻止する必要がある。ハウジング壁の両側の圧力差は、圧力制御ユニットによって制御することが可能な１つまたは複数の換気ファンの位置および性能によって決定される。
【００２０】
本発明の別の実施例によれば、発電システムは、オルタネータとガスタービンとを接続する駆動シャフト装置を有する。この駆動シャフト装置は、駆動シャフトおよび／またはこの駆動シャフトの駆動トルクを調整するための変速機を有し得る。この駆動シャフトにより、ガスタービンによって形成される動力が、オルタネータに伝達されてオルタネータを動作させる。この駆動シャフトは、オルタネータおよびガスタービンが互いに離隔されてハウジングに設置できるような所定の長さを有し得る。
【００２１】
別の実施例によれば、上記のハウジングは、第１ハウジング部と第２ハウジング部との間に配置された中間ハウジング部を有する。上記の空気流は、これがオルタネータを通過した後、この中間ハウジング部に供給可能であり、さらにこの中間ハウジング部から第２ハウジング部に供給可能である。上記の駆動シャフトは、オルタネータから中間ハウジング部を貫通してガスタービンにまで延在する。
【００２２】
中間ハウジング部は、第１ハウジング部（の第１容積）と、第２ハウジング部（の第２容積）との間の中間容積を形成することができ、これによって第１ハウジング部および第２ハウジング部およびそれらの対応する容積が互いに離隔される。中間ハウジング部には、発電システムの安全システム、防火システムなどのようないくつかのシステムコンポーネントを設置することができる。中間ハウジング部は、対応する分離壁または対応するバッフルによって対応する第１および第２ハウジング部から分離させることができる。駆動シャフトは、対応する分離壁を貫通して案内することができる。
【００２３】
さらに上記の分離壁には、対応する開口部を形成して、空気流が中間部に流れるようにすることが可能である。付加的には接続チューブを中間部内に取り付けて、第１ハウジング部と第２ハウジング部との間の分離壁の開口部と、中間ハウジング部と第２ハウジング部との間の分離壁の開口部とをそれぞれの導管（例えばチューブまたはダクト）によって接続して、空気流が中間ハウジング部を通って案内されるようにする。
【００２４】
別の実施例によれば、ハウジングは別の給気口を有しており、この別の給気口は、別の空気流がガスタービンに供給可能となるようにガスタービンに接続されている。特にこの別の給気口は、第２ハウジング部内に配置される。この別の空気流は、ガスタービン用の作動ガスとして使用される。これにより、この別の空気流は、ガスタービン給気口を通りし、さらにガスタービンの燃焼室を通り、ガスタービンの対応するタービン部を通して案内される。
【００２５】
上記の別の空気流は、上記の空気流を十二分に補う換気流および／または冷却気流とすることができ、またこれにより、エンジンの遮断中または遮断後だけでなく、通常負荷または運転負荷で電力が形成される運転中に高温のケーシングを冷却するのに十分な空気流が供給される。また上記の別の空気流により、爆発性混合物が発生し得る発電システムの領域において、希釈用空気の最小空気流速度も得られる。
【００２６】
これに相応し、別の実施例によれば、ハウジングは別の排気口を有しており、この別の排気口は、排気流がこの別の排気口を通してハウジングから排出可能となるよう、にガスタービンに接続されている。この別の排気口は、第２ハウジング部における対応する開口部として形成することが可能である。この別の排気口は、高温かつ膨張した排気流がハウジングから吹き出されるようにガスタービンのタービン部に接続されている。
【００２７】
別の実施例によれば、オルタネータは、冷却給気口および冷却排気を有している。第１ハウジング部における空気流の一部は、冷却給気口を通して、オルタネータの巻線のようなオルタネータの内部コンポーネントに案内可能であり、空気流のこの一部は、オルタネータの内部コンポーネントを通過した後、冷却排気口を通して第１ハウジング部に案内可能である。これにより、上記の空気流の一部は、オルタネータを通り、別の一部はオルタネータを通過してオルタネータの外側表面を冷却するのである。
【００２８】
別の実施例によれば、発電システムは、空気流を濾過するためのフィルタ装置を有しており、このフィルタ装置は、空気流が、給気口を通して第１ハウジング部に噴射される前、フィルタ装置を通して案内され得るように、ハウジング部に配置されている。
【００２９】
別の実施例によれば、フィルタ装置は、上記の空気流および別の空気流の両方が、このフィルタ装置によって濾過されるようにハウジング部に配置することができる。
【００３０】
別の実施例によれば、発電システムは、排気口を通して排気される場合の空気流の騒音を低減するための消音器を有する。この消音器は、空気流が第２ハウジング部の排気口を通して排気された後、この消音器を通してこの空気流を案内できるように、ハウジングに配置されている。
【００３１】
要約すると、本発明により、交流発電機およびガスタービンを有する発電システムのハウジング（エンクロージャ）を通して、空気流（循環空気）がルーティングされる。おおよそ空気流の半分が、交流発電機の内部コンポーネントの冷却するために交流発電機機械内にルーティングされ、つぎにガスタービンが取り付けられている第２ハウジング部（ガスタービンセル領域）にルーティングされる。空気流の別の半分は、外部を流れて、交流発電機を通過し、第２ハウジング部（ガスタービンセル）に流入する。空気流はつぎにガスタービンセル領域において混ぜ合わされて、例えばガスタービン排出部（別の排気口）上方の後端部においてハウジング（エンクロージャ）を出る。大気に排出されるときに空気流は、例えば消音器およびファンを通過する。
【００３２】
本発明の複数の実施例をここまで、異なる発明について説明したことに注意されたい。特にいくつかの実施例は、装置タイプの請求項に関連して説明したのに対し、別の実施例は方法タイプの請求項に関連して説明した。しかしながら、上記のことからまた以下の説明から当業者にわかるのは、特に断らない限り、発明の一方のタイプに属する複数の特徴の任意の組み合わせに加えて、他方の発明についての複数の特徴の間の任意の組み合わせも、特に装置タイプの請求項の特徴および方法タイプの請求項の特徴の間の任意の組み合わせも、この明細書によって開示されているとみなされることである。
【００３３】
本発明の上で定義した様相および別の複数の様相は、以下で説明する実施例から明らかであり、これらの実施例を参照して説明する。以下では複数の実施例を参照して、本発明をより一層詳しく説明するが、本発明がこれらの実施例によって限定されることはない。
【図面の簡単な説明】
【００３４】
【図１】本発明の実施例による発電システムの略図である。
【図２】図１に示した本発明の実施例の斜視図である。
【図３】本発明の実施例による発電システムの斜視図である。
【００３５】
詳細な説明
図面に示したのは略図である。異なる複数の図において、類似または同じ要素には同じ参照符号が付されていることに注意されたい。
【００３６】
図１および図２には、本発明の実施例による発電システム１００が示されている。発電システム１００には、第１ハウジング部Ｉおよび第２ハウジング部ＩＩを有するハウジング１０８が含まれている。オルタネータ１１０は、第１ハウジング部Ｉ内に配置されており、ガスタービン１２０は、第２ハウジング部ＩＩ内に配置されている。オルタネータ１１０は、ガスタービン１２０によって駆動される。例えば、ガスタービン１２０は、オルタネータ１１０から離隔されて配置されており、駆動シャフト１０４によってガスタービン１２０とオルタネータ１１０とが接続されている。これにより、ガスタービン１２０によって形成される動力がオルタネータ１１０に伝達されて電力が形成される。別の実施形態では、ガスタービンからの速度をオルタネータによって必要とされる速度に、一般的には１５００，１８００，３０００または３６００ｒｐｍのうちの１つである速度に低減するための中間の変速機を配置することが可能である。
【００３７】
第１ハウジング部Ｉには給気口１０１が含まれており、この給気口を通して空気流１０２を第１ハウジング部Ｉに噴射可能であり、これによって空気流１０２は、オルタネータ１１０を通過してオルタネータ１１０を冷却する。第１ハウジング部Ｉは、第２ハウジング部ＩＩに接続されているため、空気流１０２がオルタネータ１１０を通過した後、空気流１０２を第２ハウジング部ＩＩに供給することができる。
【００３８】
第２ハウジング部ＩＩは、排気口１０３を有しており、空気流１０２がガスタービン１２０を通過した後、この排気口を通して空気流１０２を排出可能である。
【００３９】
上記のハウジングは、フレーム枠を有しており、このフレーム枠には、周囲環境から隔離されている内容積を形成するため、ケーシングプレートを取り付けることができる。これにより、第１ハウジング部Ｉは、第１内容積を有しており、また第２ハウジング部ＩＩは、第２内容積を有しており、これらの内容積は、周囲環境から隔離されている。第１ハウジング部Ｉと第２ハウジング部ＩＩとの間には、中間ハウジング部ＩＩＩが配置されている。これにより、第１ハウジング部Ｉおよび第２ハウジング部ＩＩは、互いに離隔されている。駆動シャフト１０４は、図１および図２に示したように中間部ＩＩＩを貫通して案内することが可能である。
【００４０】
換気システムにより、空気流１０２を形成することができる。この換気システムは、給気口１０１を通して空気流１０２をハウジング１０８に吸引し、また排気口１０３を通してこの空気流をハウジング１０８から吹き出すためにハウジング１０８内に設置することができる。
【００４１】
空気流１０２は、フィルタ装置１３０によって濾過することができる。フィルタ装置１３０によって濾過した後、空気流１０２は、給気口１０１を通って流れる。給気口１０１は、第１ハウジング部Ｉに形成されている。第１ハウジング部Ｉに噴射された後、空気流１０２は、冷却のためにオルタネータ１１０を通過することができる。
【００４２】
オルタネータ１１０は、冷却給気口１１１および冷却排気口１１２を有することができ、これらを通して空気流１０２の一部１１３を案内して、オルタネータ１１０の内部コンポーネント１１４を冷却することができる。内部コンポーネント１１４は、例えばオルタネータの例えばコイルおよび巻線である。給気口１０１において、空気流１０２は、オルタネータ１１０を通過する第１空気流と、対応する冷却給気口１１１および冷却排気口１１２を通して案内される第２空気流とに分けることができる。第１空気流は、例えば、冷却給気口１１１に案内される第２空気流とは別にかつ直接案内することが可能である。第２空気流が、オルタネータ１１０の冷却排気口１１２を出た後、第２空気流は、冷却排気口１１２を離れて、オルタネータ１１０を通過した第１空気流と再度混合される。
【００４３】
択一的には第１ハウジング部Ｉの内容積に空気流１０２を噴射し、つぎに空気流１０２をこの内容積から冷却給気口１１１に流すことができる。したがって空気流１０２は、第１ハウジング部Ｉの給気口において分離されないのである。
【００４４】
図１に示したように、第１ハウジング部Ｉと、中間ハウジング部ＩＩＩと、第２ハウジング部ＩＩとの間には各々分離壁１０９がハウジングに設けられている。対応する分離壁１０９は、対応する開口部を有しており、この開口部を通して空気流１０２が、第１ハウジング部Ｉから中間ハウジングＩＩＩに向かって第２ハウジング部ＩＩに流れる。分離壁１０９のこれらの開口部には対応する逆止弁を設けて、ガスタービン１２０からオルタネータ１１０の方向に空気流１０２が逆流するのを阻止することができる。
【００４５】
ガスタービン１２０は、燃焼室１２１およびタービン部１２２を、すなわちエキゾースト部およびディフューザ部を有し得る。ハウジング１０８および特に第２ハウジング部ＩＩはさらに給気口１０５を有することができ、この給気口を通して別の空気流１０６を噴射することができる。この別の空気流１０６は、ガスタービン１２０の燃焼室１２１に直接案内される。この別の空気流１０６はまた別のフィルタ装置１５０を介して案内するかまたは空気流１０２用のフィルタ装置１３０を介して案内することもできる。この別の空気流１０６は、ガスタービン１２０用の作動ガスに使用可能である。タービン部１２２内で燃焼して膨張した後、別の空気流１０６は、第２ハウジング部ＩＩ内に形成された別の排気口１０７を通して排気することができる。別の空気流１０６は、空気流１０２とは別であり、空気流１０２は、排気口１０３を介して排気される。
【００４６】
排気口１０３には、排気口１０３を通して空気流１０２を吹き出すためのファン１６０を取り付けることができる。付加的には、排気される空気流１０２の騒音を低減するため、消音器１４０を排気口１０２に接続することができる。
【００４７】
図２には、図１に示したのと類似の、発電システム１００の要素およびコンポーネントが斜視図で示されている。特に図２からわかるように、フィルタ装置１３０および別のフィルタ装置１５０は１つの機能要素に組み合わせることができる。さらに図２からわかるように、中間ハウジング部ＩＩＩ内には、発電システム１００用のカットアウトスイッチ、ヒューズおよび防火システムのような複数の別の補助コンポーネントを取り付けることができる。上記の中間変速機は、例えば、中間ハウジング部ＩＩＩに取り付けることができる。中間ハウジング部ＩＩＩにおいてこの変速機を駆動シャフト１０４に接続することができる。ガスタービン１２０からのオイルを冷却するためのオイル冷却器２０１のような別のコンポーネントをハウジング１０８の屋上に取り付けることができる。
【００４８】
図３には図２の発電システム１００が示されており、この図ではハウジング１０８の外観が示されている。いくつかのパネル３０１が、ハウジング１０８の対応するフレーム枠に取り付けられており、これによって対応するハウジング部Ｉ，ＩＩ，ＩＩＩの内容積が形成される。パネル３０１は、周囲環境から隔離されたハウジング部Ｉ，ＩＩ，ＩＩＩを形成する。図３では、わかりやすくするため、ハウジング１０８のすべてのパネル３０１は、それぞれの参照符号を伴って示されてはいない。
【００４９】
「ガスタービン」という語は、ガスタービンエンジンのタービン部だけでなく「ガスタービンエンジン」全体にも使用されることに注意されたい。
【００５０】
「発電システム」は特に、交流発電機を駆動するガスタービンエンジンを含む発電システムと考えられ、ガスタービンエンジンは発電システムの一部でもある。ガスタービンエンジンおよび交流発電機は一般的に、シャフトを介して接続されるか、直接接続されるか、または変速機を介して接続される。
【００５１】
「有する」または「含む」という語は、別の要素またはステップを除外しないこと、また「１つの」は複数を除外しないことに注意されたい。別の複数の実施形態に関連した複数の要素も組み合わせることができる。また特許請求の範囲において、参照符号は請求の範囲を限定するものと考えてはならないことに注意されたい。
【図１】
0006033471.tif 000002
【図２】
0006033471.tif 000003
【図３】
0006033471.tif 000004